(57)【要約】【課題】デジタル一眼レフカメラにおいて、高い光学性能を保ちつつ観察倍率を大きくしながらも、アイポイントを長く確保することのできるファインダーを提供すること。【解決手段】撮影レンズにより所定面に形成した物体像を観察するファインダー光学系において、該所定面側から順に、正の屈折力のコンデンサレンズ、ペンタダハミラー、負の屈折力の第１レンズ、正の屈折力の第２レンズ、正の屈折力の第３レンズ、負の屈折力の第４レンズから構成され、所定の条件式を満足することを特徴とする。【選択図】  図１
2015232661.tif 000002
【特許請求の範囲】
【請求項１】
撮影レンズにより所定面に形成した物体像を観察するファインダー光学系において、    該所定面側から順に、正の屈折力のコンデンサレンズ、
ペンタダハミラー、
負の屈折力の第１レンズ、
正の屈折力の第２レンズ、
正の屈折力の第３レンズ、
負の屈折力の第４レンズから構成され、
下記の条件式を満足することを特徴とするファインダー光学系。
0.5＜ｆｃ／ｆ＜1.3   ・・（１）
1.5＜ｄ／ｆｃ＜2.5    ・・（２）
ここで、ｆはファインダー光学系全系の焦点距離、ｆｃはコンデンサレンズの焦点距離、ｄは所定面からアイポイントまでの光軸に沿った空気換算光路長を表す。
【請求項２】
請求項１に記載のファインダー光学系において、下記の条件式を満足することを特徴とするファインダー光学系。
−１＜ｆ１／ｆ＜−０．５  ・・（３） 
ここで、ｆはファインダー光学系全系の焦点距離、ｆ1は第1レンズの焦点距離を表す。
【発明の詳細な説明】
【技術分野】
【０００１】
本発明は、ファインダー光学系に関し、特に一眼レフカメラ等に好適なファインダー光学系に関するものである。
【背景技術】
【０００２】
一眼レフカメラ用のファインダー光学系において、ペンタプリズムの代わりに中空のペンタダハミラーを用いたものが提案されている。
【０００３】
しかしながら、ペンタダハミラーを用いたファインダーは、従来プリズムで構成されていたものをミラーで置き換えている為、ペンタダハミラーの光路長がプリズムを用いた場合のｎ倍（プリズムの屈折率をｎとした時）になる。その為、接眼レンズの焦点距離が長くなってしまい、ファインダー倍率が低下してしまう。
【０００４】
このような問題を解決する為、特許文献１では、アイポイント側より順にアイポイント側に凹面を向けた負メニスカスレンズ、両凸レンズを有する正レンズ、負レンズで接眼レンズを構成している。該構成により、高いファインダー倍率と良好な像性能を確保している。
【０００５】
また、特許文献２では、ペンタダハミラー側から順に、ペンタミラー側に凹面を向けた負メニスカスレンズ、正レンズ、正レンズ、眼側に凹面を向けた負レンズで接眼レンズを構成している。該構成により、高いファインダー倍率と十分なアイレリーフを確保している。
【先行技術文献】
【特許文献】
【０００６】
【特許文献１】特開２０００−９８２６６号公報
【特許文献２】特開２０００−１１１８１０号公報
【発明の概要】
【発明が解決しようとする課題】
【０００７】
しかしながら、上述の特許文献に開示された従来技術は、主に銀塩カメラに適用することを前提に考えられたものである。その為、デジタル一眼レフカメラに適用しようとした場合には、背面液晶などの影響でカメラの厚みが厚くなる為、接眼レンズの全長を長くしなければならず、その影響によりファインダー倍率が低下してしまう。
【０００８】
そこで、本発明の目的は、デジタル一眼レフカメラにおいて、高い光学性能を保ちつつ観察倍率を大きくしながらも、アイポイントを長く確保することのできるファインダーを提供することにある。
【課題を解決するための手段】
【０００９】
上記目的を達成するために、本発明は、撮影レンズにより所定面に形成した物体像を観察するファインダー光学系において、該所定面側から順に、正の屈折力のコンデンサレンズ、ペンタダハミラー、負の屈折力の第１レンズ、正の屈折力の第２レンズ、正の屈折力の第３レンズと負の屈折力の第４レンズから構成され、下記の条件式を満足することを特徴とするファインダー光学系
0.5＜ｆｃ／ｆ＜1.3   ・・（１）
1.5＜ｄ／ｆｃ＜2.5    ・・（２）
ここで、ｆはファインダー系全系の焦点距離、ｆｃはコンデンサレンズの焦点距離、ｄは所定面からアイポイントまでの光軸に沿った空気換算光路長を表す
【発明の効果】
【００１０】
本発明によれば、デジタル一眼レフカメラにおいて、高い光学性能を保ちつつ観察倍率を大きくしながらも、アイポイントを長く確保することのできるファインダーを提供することができる。
【図面の簡単な説明】
【００１１】
【図１】本発明のファインダー光学系を一眼レフカメラに適用したときの要部断面図
【図２】本発明の数値実施例１の光学要素の断面図
【図３】本発明の数値実施例１の収差図
【図４】本発明の数値実施例２の光学要素の断面図
【図５】本発明の数値実施例２の収差図
【図６】本発明の数値実施例３の光学要素の断面図
【図７】本発明の数値実施例３の収差図
【図８】本発明の数値実施例４の光学要素の断面図
【図９】本発明の数値実施例４の収差図
【発明を実施するための形態】
【００１２】
図１は本発明のファインダー光学系を一眼レフカメラに適用したときの要部断面図である。図２，図３は本発明の数値実施例１の光学要素の光路を展開した断面図と収差図である。図４，図５は本発明の数値実施例２の光学要素の光路を展開した断面図と収差図である。図６，図７は本発明の数値実施例３の光学要素の光路を展開した断面図と収差図である。図８，図９は本発明の数値実施例４の光学要素の光路を展開した断面図と収差図である。
【００１３】
断面図と収差図においてはファインダー視度が−１ディオプトリー（標準視度）のときを示している。
【００１４】
収差図において、球面収差はアイポイント位置での瞳径での収差図を表している。非点収差、歪曲収差、色収差は焦点板上での最大像高を21ｍｍとしている。色収差はｆ線（波長４８６.１３ｎｍ）での色収差を表している。
【００１５】
図１において、１は撮影レンズ、２はクイックリターンミラー、３は焦点板であり撮影レンズ１による物体像が形成されている。４はコンデンサーレンズ、５は正立像形成部材としてのペンタダハミラーであり、焦点板３上の物体像を正立正像としている。６は接眼レンズである。７はアイポイントの位置を表している。
【００１６】
本実施形態におけるファインダー光学系は撮影レンズ１による被写体像をクイックリターンミラー２で反射させて焦点板３上に形成している。そして焦点板３に形成したファインダー像をペンタダハミラー５で正立像として接眼レンズ６を介してアイポイント７より観察している。
【００１７】
また、焦点板３は撮影レンズ側にフレネルレンズ面、接眼レンズ側にマット面が系差制されている。該焦点板３のフレネルレンズは前記撮影レンズの射出瞳と、コンデンサーレンズ４から接眼レンズ６で構成されるファインダー光学系の入射瞳（ファインダー光学系により形成されるアイポイントの像の位置）が結像関係になるようにパワーが設定されている。
【００１８】
本発明に係る接眼レンズ６は負の屈折力の第１レンズ６ａ、正の屈折力の第２レンズ６ｂ、正の屈折力の第３レンズ６ｃ、負の屈折力の第４レンズ６ｄからなっていることを基本構成としている。そして、前記正の第２レンズ６ｂを接眼レンズの光軸に沿って移動することで視度調節を行っている。
【００１９】
さらに、請求項１の第１の発明では、上記基本構成の接眼レンズは下記の条件式（１）、（２）を満足するようにしている。
【００２０】
0.5＜ｆｃ／ｆ＜1.3   ・・（１）
1.5＜ｄ／ｆｃ＜2.5    ・・（２）
デジタル一眼レフカメラのように厚みの厚いカメラに対応した接眼レンズとしては、従来に比べて接眼レンズ全長を長くする必要がある。しかしながら、接眼全長を延ばすとファインダー系の入射瞳位置が焦点板から遠くなる ことからペンタ出口でのケラレが生じやすくなり、アイポイントが短くなってしまう。
【００２１】
アイポイントを確保する為には、入射瞳位置を焦点板に近づける必要があり、その為には接眼レンズ焦点距離を長くする必要があるが、 接眼レンズ焦点距離が長くなると倍率が下がってしまう。接眼レンズの焦点距離を長くしないで入射瞳位置を焦点板に近づけるには 、接眼レンズ全系のアイポイント側主点位置をアイポイントに近づける事が必要 であり、その為には負の屈折力の第１レンズの屈折力を強くする必要がある。 
【００２２】
しかしながら、負の屈折力の第１レンズの屈折力を強くすると、接眼レンズ全系の焦点板側主点位置が焦点板から遠ざかりファインダー倍率が低下してしまう。
【００２３】
そこで、本発明では、前記コンデンサーレンズを焦点板近傍に設けることで、前記第１レンズの屈折力を弱くしてもアイポイントが確保できるような構成としている。
【００２４】
次に前述の各条件式の技術的意味について説明する。条件式（１）は上述した高い観察倍率を実現しながら、十分なアイポイントを確保する為の条件である。条件式の下限を超えると、前記コンデンサーレンズの屈折力が強くなりすぎてしまい、接眼レンズの主点位置が焦点板から遠ざかってしまい、高い観察倍率を実現することが困難になる。一方、上限を超えて前記コンデンサーレンズの屈折力を弱くしすぎると、十分なアイポイントが確保できなくなる。
【００２５】
条件式（２）は上述した高い観察倍率を実現しながら、良好な像性能を実現する為の条件である。条件式の下限を超えると、前記コンデンサーレンズの屈折力が弱くなりすぎる為、高い観察倍率を得ようとすると、十分なアイポイントの確保が困難になる。一方、上限を超えると前記コンデンサーレンズの屈折力が強くなりすぎる為、アイポイントの確保は容易になるが、高い観察倍率を得る事が困難になる。
【００２６】
条件式（３）は高い観察倍率を実現しながら、十分なアイポイントを確保する為の条件である。条件式の下限を超えると、前記第１レンズの屈折力が強くなりすぎてしまい、接眼レンズの主点位置が焦点板から遠ざかってしまい、高い観察倍率を実現することが困難になる。一方、上限を超えて前記第１レンズの屈折力を弱くしすぎると、十分なアイポイントが確保できなくなる。。
【００２７】
以下に、本発明の実施の形態を添付の図面に基づいて詳細に説明する。数値実施例においてｒiは焦点板側より順に第i番目のレンズ面の曲率半径、ｄiは焦点板側よりi番目のレンズ厚及び空気間隔、Niとνiは各々焦点板がわより順に第i番目のレンズのガラスの屈折率とアッベ数である。
【００２８】
なお、各数値実施例において＊印は非球面を表しており、非球面形状は光軸方向にＸ軸、光軸と垂直方向にＹ軸、光の進行方向を正としＲを近軸曲率半径、Ｋ、Ｂ、Ｃ、Ｄ、Ｅとしたとき、
【００２９】
【数１】
2015232661.tif 000003
【００３０】
によって定義されるものである。また、「e-0X」の表示は「10-X」を意味している。
【００３１】
また、前述の条件式と数値実施例における諸数値との関係を表１に示す。
【実施例１】
【００３２】
以下、図２を参照して、本発明の第1の実施例によるファインダー光学系について説明する。
【００３３】
ファインダー光学系は前記焦点板側から順にコンデンサーレンズ、ペンタダハミラー、負の屈折力の第１レンズ、正の屈折力の第２レンズ、正の屈折力の第３レンズ、負の屈折力の第４レンズから構成されている。
単位 mm
面データ
面番号       r        d      nd         vd
1          ∞       1.60                             
2          ∞       8.00   1.52470    56.0           
3        -47.003    3.00                             
4          ∞      93.40                             
5          ∞       0.50                             
6      -1806.644    2.00   1.63200    23.0           
7*        32.322  (可変)                             
8*        38.703    5.23   1.53110    56.0           
9        -41.830  (可変)                             
10*        19.368    5.72   1.53110    56.0           
11       -274.257    4.83                             
12       -174.916    2.00   1.49171    57.4           
13*        12.646                                 
14  (アイポイント)
非球面データ
第7面
K = 0.00000e+000  B=-8.40294e-006  C=-2.18438e-008  D= 8.28844e-011  E=-2.26945e-013  
第8面
K = 0.00000e+000  B=-4.75631e-006  C=-5.94908e-008  D= 1.56547e-010  E=-2.79795e-013  
第10面
K = 0.00000e+000  B=-1.61368e-005  C= 1.76144e-008  D=-9.47185e-012  
第13面
K = 0.00000e+000  B=-5.74125e-005  C=-1.26825e-007  D=-5.70073e-010  
各種データ
視度           −１     -３     ＋１
焦点距離      78.70    74.15    83.70  
アイポイント  19.7     19.7     19.7  
d 7            3.26     1.60     4.87  
d 9            2.11     3.77     0.50  
【実施例２】
【００３４】
以下、図４を参照して、本発明の第２の実施例によるファインダー光学系について説明する。ファインダー光学系は前記焦点板側から順にコンデンサーレンズ、ペンタダハミラー、負の屈折力の第１レンズ、正の屈折力の第２レンズ、正の屈折力の第３レンズ、負の屈折力の第４レンズから構成されている。
単位 mm
面データ
面番号       r        d      nd         vd
1          ∞       1.60                             
2          ∞       8.00   1.77250    49.6           
3        -54.812    3.00                             
4          ∞      92.89                             
5          ∞       0.50                             
6      -1744.696    2.00   1.63200    23.0           
7*        31.088  (可変)                             
8*        38.596    5.05   1.53110    56.0           
9        -41.517  (可変)                             
10*        19.331    5.64   1.53110    56.0           
11       -400.873    4.72                             
12       -368.112    2.02   1.49171    57.4           
13*        12.711                                 
14  (アイポイント)
非球面データ
第7面
K = 0.00000e+000  B=-9.60531e-006  C=-2.22460e-008  D= 9.03309e-011  E=-2.52578e-013  
第8面
K = 0.00000e+000  B=-5.07156e-006  C=-6.28048e-008  D= 1.75212e-010  E=-3.22998e-013  
第10面
K = 0.00000e+000  B=-1.67125e-005  C= 1.93103e-008  D=-6.43577e-012  
第13面
K = 0.00000e+000  B=-5.62336e-005  C=-1.32855e-007  D=-4.21971e-010  
各種データ
視度           −１     -３     ＋１
焦点距離      77.33    70.38    85.57  
アイポイント  19.7     19.7     19.7  
d 7            3.52     1.88     5.11  
d 9            2.12     3.76     0.52  
【実施例３】
【００３５】
以下、図６を参照して、本発明の第３の実施例によるファインダー光学系について説明する。ファインダー光学系は前記焦点板側から順にコンデンサーレンズ、ペンタダハミラー、負の屈折力の第１レンズ、正の屈折力の第２レンズ、正の屈折力の第３レンズ、負の屈折力の第４レンズから構成されている。
単位 mm
面データ
面番号       r        d      nd         vd
1          ∞       1.60                             
2          ∞       8.00   1.52470    56.0           
3        -47.177    3.00                             
4          ∞      96.34                             
5          ∞       0.50                             
6         77.564    2.00   1.63200    23.0           
7*        26.616  (可変)                             
8*        31.153    5.17   1.53110    56.0           
9        -54.916  (可変)                             
10*        18.683    5.76   1.53110    56.0           
11       -383.314    3.75                             
12        -91.391    2.00   1.49171    57.4           
13*        11.554                                 
14  (アイポイント)
非球面データ
第7面
K = 0.00000e+000  B=-8.87269e-006  C=-4.57596e-008  D= 1.68653e-010  E=-1.01267e-013  
第8面
K = 0.00000e+000  B=-2.96924e-006  C=-1.03647e-007  D= 4.09287e-010  E=-4.73731e-013  
第10面
K = 0.00000e+000  B=-1.81907e-005  C= 5.60232e-008  D=-2.76430e-010  
第13面
K = 0.00000e+000  B=-7.62591e-005  C=-1.42528e-007  D=-3.71278e-009  
各種データ
視度           −１     -３     ＋１
焦点距離      76.20    70.87    82.43  
アイポイント  19.7     19.7     19.7  
d 7            3.57     1.47     5.72  
d 9            2.64     4.74     0.49  
【実施例４】
【００３６】
以下、図８を参照して、本発明の第４の実施例によるファインダー光学系について説明する。ファインダー光学系は前記焦点板側から順にコンデンサーレンズ、ペンタダハミラー、負の屈折力の第１レンズ、正の屈折力の第２レンズ、正の屈折力の第３レンズ、負の屈折力の第４レンズから構成されている。
単位 mm
面データ
面番号       r        d      nd         vd
1          ∞       1.60                             
2       -390.886    8.00   1.80400    46.6           
3        -43.058    3.00                             
4          ∞      92.89                             
5          ∞       0.50                             
6        311.941    2.00   1.63200    23.0           
7*        32.398  (可変)                             
8*        35.002    4.53   1.53110    56.0           
9        -62.737  (可変)                             
10*        20.970    5.66   1.53110    56.0           
11        718.636    5.37                             
12       -243.977    2.00   1.49171    57.4           
13*        14.971                                
14   (アイポイント)
非球面データ
第7面
K = 0.00000e+000  B=-9.76125e-006  C= 2.50476e-009  D=-1.04962e-011  
第8面
K = 0.00000e+000  B=-1.36775e-005  C= 7.55090e-009  D=-1.46316e-011  
第10面
K = 0.00000e+000  B= 1.94113e-006  C= 3.71556e-010  D= 4.78141e-012  
第13面
K = 0.00000e+000  B=-8.02082e-006  
各種データ
視度           −１     -３     ＋１
焦点距離      76.38    66.76    89.00  
アイポイント  19.7     19.7     19.7  
d 7            5.77     3.59     7.93  
d 9            3.43     5.62     1.27  
【００３７】
【表１】
2015232661.tif 000004
【００３８】
以上、本発明の好ましい実施形態について説明したが、本発明はこれらの実施形態に限定されず、その要旨の範囲内で種々の変形及び変更が可能である。
【００３９】
本発明は、ファインダー光学系に関し、特に一眼レフカメラ等に好適なファインダー光学系に関するものである。
【符号の説明】
【００４０】
１  撮影レンズ、２  クイックリターンミラー、３  焦点板、４  コンデンサーレンズ、５  ペンタダハミラー、６  接眼レンズ、７  アイポイント
【図１】
2015232661.tif 000005
【図２】
2015232661.tif 000006
【図３】
2015232661.tif 000007
【図４】
2015232661.tif 000008
【図５】
2015232661.tif 000009
【図６】
2015232661.tif 000010
【図７】
2015232661.tif 000011
【図８】
2015232661.tif 000012
【図９】
2015232661.tif 000013